(57)【要約】【課題】例えば２階建てのような広い空間を有する鶏舎であっても、鶏舎内を均一に暖房することができ、かつ鶏舎内の作業スペースを広く確保することができるとともに、設置費用を低く抑えることができる鶏舎暖房システムを提供すること。【解決手段】鶏舎２０内に設置された育雛ケージ２１の側面付近にヒートパイプ１０を配置する。そして、このヒートパイプ１０内に温水を流すことにより鶏舎２０内の暖房を行う。【選択図】    図１
2004257681.tif 000002
【特許請求の範囲】
【請求項１】
育雛ケージが設置されている鶏舎内をヒートパイプによって暖房することを特徴とする鶏舎暖房システム。
【請求項２】
前記ヒートパイプは、前記育雛ケージの側面付近に配置されていることを特徴とする請求項１に記載の鶏舎暖房システム。
【請求項３】
前記ヒートパイプは、前記鶏舎内の床面からの高さが３０〜５０ｃｍの位置に配置されていることを特徴とする請求項１または２に記載の鶏舎暖房システム。
【発明の詳細な説明】
【０００１】
【発明の属する技術分野】
この発明は、鶏舎暖房システムに関するものである。
【０００２】
【従来の技術】
通常、孵化したばかりの若雛を、鶏舎内で育雛ケージに収容して育成するために、鶏舎内を均一の特定の温度に保持する必要がある。このため、従来は、鶏舎内を、温風暖房を用いたり、放熱管を地面に埋設し、これに温水を通すことで暖める床暖房を用いたりして暖房を行っていた。温風暖房に用いる温風暖房機としては、例えば熱源が電気、ガス、灯油または重油等で、直接温風を噴出す「ジェットバーナ式」や、一旦温水をボイラで沸かして熱交換器に通し、これに大型ファンで空気を通すことによって熱交換させて温風として噴出す「ラジエータ式」などがある。
【０００３】
床暖房は、室内の環境や温度分布など理想的な暖房方法であるが、イニシャルコストが高いという問題があるので広く普及しておらず、その反面、温風暖房は、温風暖房機の設置コストの安さから全国的に広く普及している。
【０００４】
鶏舎の暖房は、特に生まれたばかりの雛を育てるためには不可欠であり、寒冷地だけでなく温暖な地方であっても、冬だけでなく気象条件によっては夏でも、暖房が行われている。このような鶏舎の暖房は、育雛だけでなく、鶏の体温（３８〜４０℃）とほぼ同じ温度に保たれた孵卵室で孵化したばかりの雛を、孵卵室から育雛舎（雛用の鶏舎）に移す際等に、雛が急激な環境（温度）変化に耐えることができず致死してしまうのを防ぐために行われている。
【０００５】
そして雛が成長した後、育雛舎から成鶏舎へ一括移動することができるように、雛の成長の足並みをそろえる必要があるため、育雛舎内の温度を均一（高低温度差が１℃以内）にしなければならなかった。すなわち、育雛舎内の温度分布のバラツキが大きくなると、雛に個体差が生じるため、育雛舎から成鶏舎へ一括移動することができなくなるからである。
【０００６】
しかし、温風暖房は、温風によって鶏舎内のホコリや場合によってはウイルス等の有害菌を撒き散らすこととなり、この結果、呼吸器官が弱いといわれている雛（鶏）の健康状態に悪影響を及ぼすおそれがあった。また、鶏舎内の湿度を保つために散水が行われているが、散水によって湿らされた床面が、温風暖房の温風により短時間で乾いてしまうので、散水作業が必要以上に多くなるばかりでなく、鶏舎内の湿度管理が困難であるという問題があった。さらに、２階建ての鶏舎の場合、１階と２階との温度差（上下方向の温度差）が大きくなるため、鶏舎内の温度を均一に保つことが極めて困難であった。
【０００７】
このため、加熱した熱伝導率が小さい熱媒体液を、熱伝導率が小さい放熱パイプ内に循環させて育雛ケージの暖房を行う方法が提案された（特許文献１参照）。
【０００８】
【特許文献１】
特開平７−１９５０９号公報（第２−３頁、第１図）
【０００９】
【発明が解決しようとする課題】
しかしながら、特許文献１では、育雛ケージ内の温度を一定に保つことはできるものの、熱伝導率が小さい放熱パイプは、１本あたりの放出する熱量が少ないので、鶏舎内全体の温度を一定に保つには適していなかった。このため、鶏舎内全体の温度を一定に保つには、鶏舎内に放熱パイプを何本も配設しなければならなかった。特に２階建てのような広い空間を有する鶏舎の場合、配設しなければならない放熱パイプの数も多くなり、その結果、鶏舎内に数多くの放熱パイプが張り巡らされることになるため、鶏舎内の作業スペースが狭くなってしまうという問題があった。さらに、数多くの放熱パイプを鶏舎内に配設するため、その工事費用が多大にかかってしまうという問題があった。
【００１０】
この発明は、このような従来の技術に存在する問題点に着目してなされたものである。その目的は、例えば２階建てのような広い空間を有する鶏舎であっても、鶏舎内を均一に暖房することができ、かつ鶏舎内の作業スペースを広く確保することができるとともに、設置費用を低く抑えることができる鶏舎暖房システムを提供することにある。
【００１１】
【課題を解決するための手段】
上記目的を達成するために、請求項１の発明においては、育雛ケージが設置されている鶏舎内をヒートパイプによって暖房することを要旨とするものである。
【００１２】
従って、鶏舎内の空気を強制対流させずに、鶏舎内を暖房することができるので、鶏にホコリ等を含んだ風があたらないように鶏舎内を暖めることができる。このため、呼吸器官が弱いといわれている鶏を育成するための鶏舎の暖房に都合がよい。また、ヒートパイプから放射される遠赤外線により、鶏舎内を隅々まで均一に効果的に暖房することができる。
【００１３】
請求項２に記載の発明においては、請求項１において、前記ヒートパイプは、前記育雛ケージの側面付近に配置されていることを要旨とするものである。
従って、育雛ケージの側面付近にヒートパイプを配置するので、ヒートパイプの取り付け作業がしやすくなる。
【００１４】
請求項３に記載の発明においては、請求項１または２において、前記ヒートパイプは、前記鶏舎内の床面からの高さが３０〜５０ｃｍの位置に配置されていることを要旨とするものである。
【００１５】
従って、鶏舎内の低い位置にヒートパイプを取り付けるので、請求項２と同様の効果をより効果的に得ることができる。
【００１６】
【発明の実施の形態】
以下、本発明を具体化した実施形態を図１〜図５に基づいて説明する。
はじめに、この実施形態の鶏舎暖房システムに用いるヒートパイプ１０の構成及び作用について説明する。
【００１７】
図５に示すように、ヒートパイプ１０は、外パイプ１１が金属材料により円筒状に形成され、その両端には端板１５がシールリング１６を介してかしめ付け固定されている。外パイプ１１の内部を貫通して長手方向へ延びるように、両端板１５の挿通孔１７には温水等の加熱液体１４を流すための金属製の中パイプ１２が保持筒１８及びシールリング１９を介して挿通支持されている。そして、外パイプ１１内は、真空状態に保たれて、沸点の低い作動液体１３が収容されている。
【００１８】
さて、中パイプ１２に温水等の加熱液体１４が流されると、外パイプ１１内の作動液体１３が蒸発するとともに、その蒸気が外パイプ１１の周壁で冷却されて再び凝縮する。そして、この凝縮時に発生する熱により、外パイプ１１が加熱されて外部に多量の遠赤外線をともなう熱が放出される。
【００１９】
次に実施形態の鶏舎暖房システムを設けた鶏舎２０の構成について説明する。
図１に示すように、鶏舎２０内は２階建て構造をなしており、１階と２階とはグレーチング２３（鋼材を格子状に溶接したもの）によって仕切られている。即ち、このグレーチング２３が鶏舎２０内の２階の床面を形成しているとともに、鶏舎２０内の１階と２階とは、熱や空気が自由に出入りできるように構成されている。１階の床面２９及び２階の床面には複数段に積み重ねられた育雛ケージ２１がそれぞれ設置され、育雛ケージ２１内には、図示しない多数の雛がそれぞれ収容されている。そして、１階の育雛ケージ２１の側面付近（好ましくは、１階の床面２９からの高さが３０〜５０ｃｍの位置）には、ヒートパイプ１０がほぼ水平になるように、複数のブラケット２４を介して育雛ケージ２１に固定されている。
【００２０】
そして、鶏舎２０内の１階の側壁２２付近において、グレーチング２３から複数のブラケット３０によってヒートパイプ１０が吊下固定されている。このとき、グレーチング２３から、この吊下固定されたヒートパイプ１０までの距離は１０〜１５ｃｍであることが好ましい。
【００２１】
また、図２（育雛ケージ２１とヒートパイプ１０との位置関係を表す簡略図）に示すように、鶏舎２０内には、加熱液体１４としての温水を沸かすためのボイラ２５が設置されており、ボイラ２５から延びる配管２６は、各ヒートパイプ１０の中パイプ１２と接続されている。なお、鶏舎２０内において、ヒートパイプ１０は、鶏舎２０の規模に応じた必要本数または必要長さのものが設置される。例えば、鶏舎２０内に育雛ケージ２１が３列設置される場合、鶏舎２０内の幅方向の側壁２２付近に１本ずつ、各列毎の育雛ケージ２１の両側に１本ずつのヒートパイプ１０を設置するので、少なくとも合計８本のヒートパイプ１０が設置される。
【００２２】
さて、図１及び図２に示すように、ボイラ２５によって沸かされた温水（好ましくは、７０〜８０℃の温水）は、図示しないポンプによって配管２６内に送り出されることにより、各ヒートパイプ１０の中パイプ１２内を流れる。そして、ヒートパイプ１０から多量の遠赤外線をともなう熱が放出されることにより、鶏舎２０内の室温が上昇する。また、鶏舎２０内において散水作業が任意に行われることにより、鶏舎２０内の床面２９が湿らされる。
【００２３】
ここで、図３に示すように、縦軸が分光放射輝度、横軸が波長のグラフにおいて、波形２８は、ヒートパイプ１０から放射される電磁波を表しており、波形２７は、動物の健康や育成に対して理想的な電磁波（遠赤外線）を表している。すなわち、この遠赤外線が動物の体を形成している分子に照射されると、分子運動が活発になるため、動物の体内の血流が増進して体が温まるとともに、新陳代謝が活発になる。また、動物の体を形成している水分子同士の間には、余分な脂肪や有害な重金属が挟まれており、遠赤外線がこの水分子に照射されることで、水分子は活性化するとともに、相互の結合を切り離して動き出す。その結果、水分子内から余分な脂肪や有害な重金属が放出され、体外に排出される。このように、遠赤外線は、動物の体に活力を与えるとともに、不要物を体外へ排出する作用がある。
【００２４】
そして、波形２８は、波形２７とほぼ同様の波長帯（６〜１２μｍ）にピークを持っており、波形２８と波形２７とは、全体的にその形状が酷似している。したがって、図３に示すように、ヒートパイプ１０からは、動物の吸収波長である６〜１２μｍの波長帯の電磁波（遠赤外線）が効果的に放射されるので、雛を育成するのに都合がよい。
【００２５】
そして、ヒートパイプ１０から放射される遠赤外線の効果により、鶏舎２０内の室温の上昇にともなって、鶏舎２０の壁面や鶏舎２０内設備等の温度も上昇し、鶏舎２０内を効果的に暖めることができる。さらに、前記散水作業によって湿らされた床面２９の水分が、遠赤外線によって適度に暖められるので、この床面２９の水分が適度に蒸発する。このため、前記床面２９の水分を急激に蒸発させることなく、鶏舎２０内を所定の湿度に保つことができるので、散水作業回数を少なくすることができる。この結果、前記散水作業時間を短縮することができる。
【００２６】
また、図４は、鶏舎２０内中央部の育雛ケージ２１外における上下方向の任意の位置（ａ〜ｆ）における温度分布を示した表であり、前記位置（ａ〜ｆ）は、図１に示した点ａ〜ｆに対応している。図４の表から、温度測定を行った任意の位置（ａ〜ｆ）のうち、最高温度（ｂの位置；２７．２℃）と最低温度（ｅの位置；２６．４℃）との温度差は、０．８℃である。この結果、鶏舎２０内の上下方向における温度分布のバラツキが１℃以内であるという若雛を育成するための必須条件を満たすことができるとともに、鶏舎２０内をほぼ均一に暖房することができる。
【００２７】
さらに、間口が９．５ｍ、奥行が９０ｍ、高さが６．５ｍであって、外壁が５０ｍｍのウレタン材／ガルバニウムで建設された実験鶏舎内の暖房を、実施形態の鶏舎暖房システムで行った。そして、前記鶏舎内の入口から最奥までの室内温度差が０．７℃、前記鶏舎内の床面から８０ｃｍの高さから、該床面から６ｍの高さまでの室内温度差が０．８〜１．０℃になるように調整した。このときの外気温はマイナス１５℃、室温は３２℃であった。そして、この場合の暖房に必要な熱量は、従来の温風暖房では約８４万〜１３４万ｋＪ／ｈであると計算されていたが、実際に実施形態の鶏舎暖房システムが消費した熱量は、約３１万４千ｋＪ／ｈであった。この結果、暖房のランニングコストを、従来の温風暖房と比較して、著しく低く抑えることができる。
【００２８】
以上詳述した実施形態によれば次のような効果が発揮される。
・  鶏舎２０内の空気を強制対流させずに、鶏舎２０内を暖房することができるので、若雛にホコリ等を含んだ風があたらないように鶏舎２０内を暖めることができる。このため、呼吸器官が弱いといわれている鶏を育成するための鶏舎２０の暖房に都合がよい。また、ヒートパイプ１０から放射される遠赤外線により、鶏舎２０内を隅々まで均一に効果的に暖房することができる。このため、暖房コストを低く抑えることができる。
【００２９】
・  前記散水作業によって湿らされた床面２９の水分が、遠赤外線によって適度に暖められるので、この床面２９の水分が適度に蒸発する。このため、前記床面２９の水分を急激に蒸発させることなく、鶏舎２０内を所定の湿度に保つことができるので、散水作業回数を少なくすることができる。この結果、前記散水作業時間を短縮することができる。
【００３０】
・  育雛ケージ２１の側面付近にヒートパイプ１０を配置するので、床暖房と比較して、ヒートパイプ１０の取り付け作業がしやすくなる。
・  ヒートパイプ１０からは、動物の健康や育成に対して良好な影響を与える８〜１４μｍの波長帯の電磁波である遠赤外線が効果的に放射されるので、雛を育成するのに都合がよい。
【００３１】
・  ２階建ての鶏舎２０の１階にのみヒートパイプ１０を設置するだけで、鶏舎２０の２階を含む鶏舎２０内全体の暖房を行うことができるので、ヒートパイプ１０の設置コストを低く抑えることができる。
【００３２】
なお、前記実施形態を次のように変更して構成することもできる。
・  前記鶏舎暖房システムを、３階建て以上の鶏舎２０に用いること。
・  前記ヒートパイプ１０の熱源を電気ヒータにすること。
【００３３】
次に上記実施形態から把握できる請求項以外の技術的思想について、それらの効果とともに以下に追記する。
（１）前記ヒートパイプは、前記鶏舎内の複数の位置に配置されており、少なくとも前記鶏舎内の床面付近の位置及び前記鶏舎内の側壁付近の位置に配置されていることを特徴とする請求項１に記載の鶏舎暖房システム。
【００３４】
従って、外気温が低い場合であっても、鶏舎内全体を効果的に暖房することができるとともに、特に外気温の影響により温まり難くなった鶏舎内の側壁付近においても暖房を効果的に行うことができ、鶏舎内をほぼ均一に暖房することができる。
【００３５】
（２）前記ヒートパイプの熱源は、温水であることを特徴とする請求項１〜３及び（１）のいずれかに記載の鶏舎暖房システム。
従って、熱源が温水であるため、火災等の心配がなく、安全に鶏舎内の暖房を行うことができる。
【００３６】
【発明の効果】
以上、詳述したように本発明は、例えば２階建てのような広い鶏舎であっても、鶏舎内を均一に暖房することができ、かつ鶏舎内の作業スペースを広く確保することができるとともに、設置費用を低く抑えることができる鶏舎暖房システムを提供できるという効果がある。
【図面の簡単な説明】
【図１】鶏舎全体を表す説明図
【図２】ヒートパイプの設置状態を表す簡略図
【図３】ヒートパイプの特性を表す説明図
【図４】図１の鶏舎内の温度分布を表す説明図
【図５】ヒートパイプの説明図
【符号の説明】
１０…ヒートパイプ、１１…外パイプ、１２…中パイプ、１３…作動液体、１４…加熱液体、２０…鶏舎、２１…育雛ケージ、２２…側壁、２３…グレーチング、２９…床面
【図１】
2004257681.tif 000003
【図２】
2004257681.tif 000004
【図３】
2004257681.tif 000005
【図４】
2004257681.tif 000006
【図５】
2004257681.tif 000007